(57)【要約】      （修正有）【課題】汁を多く含む惣菜等を収容する場合であっても、持ち運びあるいは搬送時に汁が漏れ出るのを完全に阻止でき、必要なときには容易に開封できる惣菜等の閉鎖材付き包装容器を提供する。【解決手段】惣菜等の閉鎖材付き包装容器１０は、合成樹脂発泡シート２２を熱成形して得られたトレー状の容器本体２０と、容器本体２０に対する閉鎖材３０とからなる。容器本体２０は上縁の周囲にフランジ部２５を備えており、少なくともフランジ部２５の上面には合成樹脂フィルム２３が積層されている。閉鎖材３０は透明な樹脂材料３５で作られており、かつ少なくとも容器本体２０を閉鎖するときに容器本体２０のフランジ部２５と当接する領域には開封可能に熱融着可能な材料３４が積層されている。【選択図】図１
0003154418.tif 000002
【実用新案登録請求の範囲】
【請求項１】
合成樹脂発泡シートを熱成形して得られたトレー状の容器本体と、該容器本体に対する閉鎖材とからなる惣菜等の閉鎖材付き包装容器であって、
前記容器本体は上縁の周囲にフランジ部を備えており、少なくとも該フランジ部の上面には合成樹脂フィルムが積層されており、
前記閉鎖材は透明な樹脂材料で作られており、かつ少なくとも前記容器本体を閉鎖するときに容器本体の前記フランジ部と当接する領域には開封可能に熱融着可能な材料が積層されていることを特徴とする惣菜等の閉鎖材付き包装容器。
【請求項２】
請求項１に記載の惣菜等の閉鎖材付き包装容器であって、前記閉鎖材は透明な樹脂材料を立体成形したものであることを特徴とする惣菜等の閉鎖材付き包装容器。
【請求項３】
請求項１に記載の惣菜等の閉鎖材付き包装容器であって、前記閉鎖材は透明な樹脂材料からなるフィルムまたはシートであることを特徴とする惣菜等の閉鎖材付き包装容器。
【請求項４】
前記開封可能に熱融着可能な材料は閉鎖材の全面にわたって積層されていることを特徴とする請求項２または３に記載の惣菜等の閉鎖材付き包装容器。
【請求項５】
請求項１から４のいずれか一項に記載の惣菜等の閉鎖材付き包装容器を用いた惣菜等の包装体であって、前記容器本体には惣菜等が収容され、前記閉鎖材は前記容器本体のフランジ部と当接している領域において、前記開封可能に熱融着可能な材料が加熱されることにより液密状態に熱融着されていることを特徴とする惣菜等の包装体。
【請求項６】
請求項５に記載の惣菜等の包装体であって、前記容器本体および閉鎖材はガス不透過性の材料で作られており、内部には不活性ガスが封入されていることを特徴とする請求項５に記載の惣菜等の包装体。
【考案の詳細な説明】
【技術分野】
【０００１】
本考案は、合成樹脂発泡シートを熱成形して得られたトレー状の容器本体と、該容器本体に対する閉鎖材とからなる惣菜等の閉鎖材付き包装容器に関する。
【背景技術】
【０００２】
合成樹脂の発泡または非発泡シートを熱成形して得られる上方を開放した容器本体と、該容器本体の上方開放部を閉鎖するための蓋やラップフィルムのような閉鎖材とからなる包装容器は知られている。
【０００３】
例えば、特許文献１には、閉鎖材としてラップフィルムを用いた包装容器が記載されており、そこには、容器本体の後方側壁の中央部に所定高さの凸部を形成し、同凸部の上からラップフィルムをテント状に掛けて被包装物を包装できるようにしたラップ掛け用包装容器において、ラップフィルムにシワを生じ難くするために、凸部の両側の容器本体のコーナー部を円弧状に形成したものが記載されている。
【０００４】
また、特許文献２には、閉鎖材として立体成形の蓋体を用いた包装容器が記載されており、そこには、加工食品を充填した後、冷蔵庫に入れても食品が乾燥すること無く、適度の湿度を維持できるようにするために、容器本体と蓋体との係合部に内勘合部または外勘合部を形成して、蓋体と容器本体との密閉度を高めるようにした包装容器が記載されている。
【先行技術文献】
【特許文献】
【０００５】
【特許文献１】実用新案登録第３１３２６３８号公報
【特許文献２】実用新案登録第３１２６５５４号公報
【考案の開示】
【考案が解決しようとする課題】
【０００６】
食品包装容器およびそれを用いた包装体において、汁を含む食品を包装する場合、人による持ち運び時、あるいは車両等による搬送時に、容器本体と蓋あるいはラップフィルム等である閉鎖材との合わせ部から、汁が漏れないことが求められる。特許文献１に記載のように容器本体をラップフィルムで包み込むようにした包装体では、ラップフィルムでの包み方によっては、汁が外部に漏れ出ないようにすることができるとしても、容器本体とラップフィルムとの間に汁が回り込むのを完全に阻止することはできない。特許文献２に記載のように、蓋体と容器本体との合わせ部に勘合部を形成し、該勘合部の形成により蓋体と容器本体との密閉度を高めるようにしたものでも、勘合部から汁が漏れ出るのを完全に阻止することはきわめて困難である。
【０００７】
特に、容器本体が平面積の広さに比較して深さの浅いいわゆるトレー状であり、かつ、収容する食品が惣菜のように汁を多く含むものである場合、汁が漏れ出ないように閉鎖材付きの包装体を形成することは容易でない。
【０００８】
本考案は、上記のような事情に鑑みてなされたものであり、トレー状の容器本体に汁を多く含む惣菜等を収容する場合であっても、持ち運びあるいは搬送時に汁が漏れ出るのを完全に阻止できるように閉鎖材を容器本体に取り付けることができ、また、必要なときには閉鎖材を容易に開封できるようにした惣菜等の閉鎖材付き包装容器、およびそれを用いた包装体を提供することを課題とする。
【課題を解決するための手段】
【０００９】
本考案による惣菜等の閉鎖材付き包装容器は、合成樹脂発泡シートを熱成形して得られたトレー状の容器本体と、該容器本体に対する閉鎖材とからなる惣菜等の閉鎖材付き包装容器であって、前記容器本体は上縁の周囲にフランジ部を備えており、少なくとも該フランジ部の上面には合成樹脂フィルムが積層されており、前記閉鎖材は透明な樹脂材料で作られており、かつ少なくとも前記容器本体を閉鎖するときに容器本体の前記フランジ部と当接する領域には開封可能に熱融着可能な材料が積層されていることを特徴とする。
【００１０】
また、本考案による惣菜等の包装体は、上記した惣菜等の閉鎖材付き包装容器を用いた惣菜等の包装体であって、前記容器本体には惣菜等が収容され、前記閉鎖材は前記容器本体のフランジ部と当接している領域において、前記開封可能に熱融着可能な材料が加熱されることにより液密状態に熱融着されていることを特徴とする。
【００１１】
本考案による惣菜等の閉鎖材付き包装容器および包装体において、容器本体は、合成樹脂発泡シートを熱成形して得られたものであり、軽量でありかつ所要の強度を備えていて、惣菜等の包装容器として特に好適である。また、トレー状の容器本体と閉鎖材とは、容器本体に形成されたフランジ部において熱融着が可能となっており、惣菜のように汁の多い食品を収容した場合でも、容器本体と閉鎖材との合わせ部から汁が漏れ出るのを完全に阻止することができる。また、閉鎖材は透明な樹脂材料で作られており、購買者等は、容器本体内に収容された惣菜等を容易に視認することができる。
【００１２】
収容した惣菜等を取り出すときに、閉鎖材を開封する、すなわち閉鎖材を熱融着部から引きはがして分離することとなるが、容器本体の少なくとも熱融着部、すなわち合成樹脂発泡シートで作られた容器本体における前記フランジ部の上面には合成樹脂フィルムが積層されており、開封（閉鎖材の剥離）が容易であるとともに、積層した合成樹脂フィルムの存在により、開封時に、発泡樹脂の一部が閉鎖材側に持ち去られるとはなく、閉鎖材を除去した後の前記フランジ部の上面は当初の美しい状態が維持される。また、微粉化した発泡樹脂の一部が収容した惣菜等に紛れ込むこともない。
【００１３】
本考案による惣菜等の閉鎖材付き包装容器および包装体において、容器本体の内側面の全面が前記した合成樹脂フィルムによってラミレートされていてもよい。それにより、万が一起こるかもしれない容器本体の底部等からのからの汁漏れを防止することができ、また、収容食品である惣菜等の防湿性も確保できる。容器本体の外側面の全面が前記した合成樹脂フィルムによってラミレートされていてもよい。また、容器本体は、収容部内に仕切が形成されていてもよい。
【００１４】
本考案による惣菜等の閉鎖材付き包装容器および包装体において、前記閉鎖材は透明な樹脂材料を立体成形した形態のもの、いわゆる蓋であってもよく、透明な樹脂材料からなるフィルムまたはシートであってもよい。いずれであっても、少なくとも閉鎖材の前記容器本体のフランジ部に当接する領域には、フランジ部との間で開封可能に熱融着可能な材料が積層されている。該開封可能に熱融着可能な材料は、前記フランジ部に当接する領域にのみ積層されていてもよく、閉鎖材の全面にわたって積層されていてもよい。前者の場合には、例えば印刷等の手段によって、前記開封可能に熱融着可能な材料を、閉鎖材を構成する透明な樹脂材料のフィルムまたはシートの所定に位置合わせした適所に積層することで形成することができる。後者の場合には、液状、あるいはフィルム状またはシート状である前記した開封可能に熱融着可能な材料を、閉鎖材を構成する透明な樹脂材料に塗布する、あるいは積層することで形成することができる。
【００１５】
本考案による惣菜等の閉鎖材付き包装容器および包装体において、前記した開封可能に熱融着可能な材料は、適宜厚さの熱可塑性樹脂または熱硬化性樹脂であってよい。容器本体を閉鎖材によって閉鎖するときに、前記開封可能に熱融着可能な材料に対して熱を加える。熱によりその材料は熱溶融することで接着剤として機能する。液密に封止可能であり、かつ開封が可能であるかどうかは、主に前記材料の厚さに依存する。本考案による惣菜等の包装体を開封しようとする者の年齢層を考慮して、適宜の厚さに積層するのが好ましい。一例として、熱融着可能な材料が、ポリスチレン系樹脂、ポリプロピレン系樹脂、ポリエステル系樹脂等の場合、２０〜５０μｍ程度の厚さが好適である。厚さが薄すぎると、満足すべき液密性が得られず、厚すぎると開封が困難となる。
【００１６】
上記した本考案による惣菜等の包装体において、収容した惣菜等の味や風味が長い時間にわたって保持されることは好ましい。そのために、本考案による惣菜等の包装体の一態様では、前記容器本体および閉鎖材はガス不透過性の材料で作られており、内部には不活性ガスが封入されていることを特徴とする。不活性ガスは人体に無害であることを条件に任意のものを用いうるが、コスト等の関係から窒素ガスが最も好ましい。
【００１７】
本考案による惣菜等の閉鎖材付き包装容器において、トレー状の容器本体を熱成形するための合成樹脂発泡シートは、従来この種の包装容器を成形するのに用いられている任意の合成樹脂発泡シートを用いることができる。例として、ポリスチレン系樹脂発泡体シート、ポリプロピレン系樹脂発泡体シート、ポリエステル系樹脂発泡体シート等が挙げられ、強度と成形性とコストの面から特にポリスチレン系樹脂発泡体シートが好ましい。さらに、前記した合成樹脂発泡シートに積層する合成樹脂フィルムとしては、ポリスチレン、ハイインパクトポリスチレン、ポリエチレン、ポリエステル等からなるフィルムが挙げられる。この合成樹脂フィルムの積層は、合成樹脂発泡シートの片面のみでなく、両面に対して行ってもよい。
合成樹脂発泡シートの熱成形は、例えば、真空成形、圧空成形、真空圧空成形等によって行うことができる。
【００１８】
また、本考案において、包装の対象となる惣菜等には、例として、佃煮、珍味、漬け物、サラダ、おかず等のお惣菜に加えて、ご飯、ご飯とお惣菜等の、いわゆるお弁当材料、さらにはパスタなどの食品が含まれる。中でも、汁や水分を多く含む食品の包装に対して、本考案による包装容器は特に好適である。また、惣菜等の閉鎖材付き包装容器には、お弁当のための容器も含まれる。
【考案の効果】
【００１９】
本考案による惣菜等の閉鎖材付き包装容器を用いることにより、液密性に優れながら開封も可能な閉鎖材を備えた、トレー状をなす惣菜等の包装体を得ることができる。
【図面の簡単な説明】
【００２０】
【図１】本考案による惣菜等の閉鎖材付き包装容器を構成する容器本体と閉鎖材の一例を分離した状態で示す斜視図。
【図２】図１に示した惣菜等の閉鎖材付き包装容器において、容器本体に閉鎖材を取り付けた状態を示す平面図（図２（ａ））と、図２（ａ）のｂ−ｂ線による拡大して示す断面図（図２（ｂ））。
【図３】本考案による惣菜等の閉鎖材付き包装容器を構成する容器本体と他の形態の閉鎖材の例を分離した状態で示す斜視図。
【図４】閉鎖材を作るための透明な樹脂材料の一例を示す図。
【図５】閉鎖材を作るための透明な樹脂材料の他の例を示す図。
【考案を実施するための形態】
【００２１】
以下、図面を参照して、本考案による惣菜等の閉鎖材付き包装容器および包装体の実施の形態を説明する。
図１および図２に示す第１の形態において、包装容器１０は、容器本体２０と、閉鎖材である蓋体３０とから構成される。容器本体２０は、惣菜等を収容する収容部２１の深さが比較的薄くされているトレー状をなしており、合成樹脂発泡シート（例えば、ポリスチレン系樹脂発泡体シート）２２の全面に合成樹脂フィルム（例えば、ポリスチレン系樹脂フィルム）２３を積層した積層体２４を、合成樹脂フィルム２３側が内側、すなわち収容部２１の底面および側面側となるようにして熱成形することで作られる。容器本体２０は、上縁の周囲に水平方向の延出するフランジ部２５を４周に備えており、さらに、図示の例では、該フランジ部２５の内側に内側水平部２６を有している。
【００２２】
蓋体３０は、透明な樹脂材料３５（例えば、透明なポリスチレン系樹脂シート）を熱成形などにより立体成形して作られており、閉鎖性を高めるために、周縁部には、蓋体３０を容器本体２０に取り付けたときに、容器本体２０の前記内側水平部２６に先端が当接する凹陥部３１と、その外周に続く、容器本体２０の前記フランジ部２５に当接する外側水平部３２と、外側水平部３２の外側縁に続くスカート部３３を備えている。
【００２３】
そして、図１に示すように、前記外側水平部３２の裏面側、すなわち、蓋体３０を容器本体２０に取り付けたときに、容器本体２０の前記フランジ部２５に当接する面には、開封可能に熱融着可能な材料３４が積層されている。積層は、印刷（パートコート印刷）や塗布によってもよく、フィルム状の材料を貼り付けることによってもよい。一例として、開封可能に熱融着可能な材料３４は、１００℃程度の温度で溶融するポリスチレン系樹脂材料等であり、厚さは２０〜５０μｍ程度である。フィルムの例としては、ジェイフィルム社製ＶＭＸフィルム（商品名）、東セロ社製ＣＭＰＳフィルム（商品名）、あるいは、クリロン化成社製ＮＦ−ＥＰフィルム（商品名）などが挙げられる。なお、後記するように、前記開封可能に熱融着可能な材料３４は、蓋体３０の裏面全面に積層されていてもよい。
【００２４】
包装容器１０を使用して包装体とするに当たっては、容器本体２０の収容部２１に惣菜等を収容し、その上から、図２に示すように、蓋体３０を取り付ける。蓋体３０を取り付けた後、適宜の加熱手段より、蓋体３０の外側水平部３２の裏面に積層した前記開封可能に熱融着可能な材料３４に熱を与えて、該材料３４を熱溶融する。溶融した材料３４は接着剤として機能して、蓋体３０の外側水平部３２と容器本体２０のフランジ部２５との間は、熱融着された状態となる。
【００２５】
熱融着後の包装容器１０、すなわち本考案による包装体は、前記容器本体２０の内側水平部２６に蓋体３０の凹陥部３１の先端が接していることに加え、蓋体３０の外側水平部３２と容器本体２０のフランジ部２５との間が熱融着されることによって、液密に封止されている。そのために、収容した惣菜等が多くの水分（汁等）を含んでいる場合でも、汁等が包装容器１０の外に漏れ出るのを確実に阻止することができる。
【００２６】
収容した惣菜等を包装容器１０から取り出すときには、蓋体３０を容器本体２０から取り外す。このときに、前記した熱融着部は相互に剥離することとなるが、容器本体２０の熱融着部側、すなわち合成樹脂発泡シート２２で作られた容器本体２０におけるフランジ部２５の上面は、合成樹脂発泡シートの全面に積層した合成樹脂フィルム２３によって覆われており、剥離時に、合成樹脂発泡シート２２の一部が破壊して蓋体３０側に持ち去られるとはなく、蓋体３０を除去した後の前記フランジ部２５の上面は、当初の美しい状態がそのまま維持される。一度取り外した蓋体３０は、蓋としては再度使用することができる。
【００２７】
図３は本考案による惣菜等の閉鎖材付き包装容器の第２の形態を示す。この包装容器１０Ａにおいて、容器本体２０は図１および図２に示した第１の形態のものと同じであり、同じ符号を付して、説明は省略する。包装容器１０Ａにおいて、閉鎖材が第１の形態のものと相違する。ここでは、閉鎖材は、立体成形された蓋体３０ではなく、単にフィルム（またはシート）状の透明な樹脂材料３５からなる可撓性シート３０Ａである。可撓性シート３０Ａの材料は、前記蓋体３０を構成する樹脂材料３５と同じであってもよく、異なっていてもよい。可撓性シート３０Ａの厚さは３０μｍ〜１０００μｍ程度であってよい。
【００２８】
包装容器１０Ａにおいて、閉鎖材を構成する可撓性シート３０Ａが、容器本体２０フランジ部２５に当接する面には、蓋体３０の場合と同様、開封可能に熱融着可能な材料３４が積層されている。この場合にも、後記するように、前記材料３４は、可撓性シート３０Ａの裏面全面に積層されていてもよい。
【００２９】
包装容器１０Ａを使用して包装体とするに当たっては、容器本体２０の収容部２１に惣菜等を収容し、その上から可撓性シート３０Ａを被覆する。その後、適宜の加熱手段より、前記開封可能に熱融着可能な材料３４に熱を与えることにより、可撓性シート３０Ａは容器本体２０のフランジ部２５に熱融着された状態となり、容器本体２０は可撓性シート３０Ａによって、液密状態に封止される。それにより、トップシール状の包装体となる。収容した惣菜等を包装容器１０から取り出すときには、可撓性シート３０Ａを容器本体２０から剥離することとなるが、そのときの剥離状態は、第１の形態の場合と同様である。剥離強度は２〜１０Ｎ／１５ｍｍが好ましく、３〜６Ｎ／１５ｍｍがより好ましい。
【００３０】
次に、図４および図５を参照して、閉鎖材（蓋体３０，可撓性シート３０Ａ）を作るための基材シート４０について説明する。上記したように、閉鎖材が蓋体３０および可撓性シート３０Ａのいずれの場合も、透明な樹脂材料３５における少なくとも閉鎖材が容器本体２０のフランジ部２５に当接する領域には、開封可能に熱融着可能な材料３４が積層されている必要がある。図４に示す例は、その一例であり、ここでは、基材シート４０における、透明な樹脂材料３５の所要の領域のみに、前記材料３４が積層されている。ここで所要の領域とは、閉鎖材が蓋体３０の場合には、立体成形した後に、蓋体３０が容器本体２０のフランジ部２５に当接する領域であり、閉鎖材が可撓性シート３０Ａの場合には、容器本体２０を封止するときに、該可撓性シート３０Ａが容器本体２０のフランジ部２５に当接する領域である。
【００３１】
図４に示す形態の基材シート４０の場合には、対象となる容器本体２０の形状に合わせて、また蓋体３０の形状に成形する場合には、その蓋体３０の形状に合わせて、樹脂材料３５上に、前記開封可能に熱融着可能な材料３４を塗布すべき位置を設定することが必要となり、複雑な制御機構を備えた塗布装置等が求められる。
【００３２】
図５に示す形態の基材シート４０は、その煩雑さを解消したものであり、透明な樹脂材料３５の全面に、前記開封可能に熱融着可能な材料３４が積層されている。材料３４の積層は、液状である材料３４をロールコーターのような装置を用いて、透明な樹脂材料３５の全面に塗布する方法によってもよく、図示のようにフィルム状とした材料３４を透明な樹脂材料３５の全面にラミネートする方法によってもよい。前記したように、この種のフィルムの例として、ジェイフィルム社製ＶＭＸフィルム（商品名）、東セロ社製ＣＭＰＳフィルム（商品名）などを挙げることができる。材料３４の無駄が生じるが、閉鎖材の製造は容易となる。
【００３３】
なお、上記の説明では、合成樹脂発泡シートを熱成形して得られたトレー状の容器本体２０として、矩形状をなす容器本体を示したが、容器本体の輪郭形状は、前記したフランジ部を周囲に備えることを条件に任意であり、円形や楕円状であってもよい。閉鎖材（蓋体３０，可撓性シート３０Ａ）の形状は、それに応じてそれぞれ設計される。
【００３４】
上記して形成される本考案による惣菜等の包装体において、収容した惣菜等の味や風味が長い時間にわたって保持されることは好ましい。そのために、前記容器本体２０および閉鎖材３０をガス不透過性の材料で作るとともに、内部には窒素ガスのような不活性ガスが封入するようにしてもよい。
【符号の説明】
【００３５】
１０、１０Ａ…包装容器、
２０…容器本体、
２１…惣菜等を収容する収容部、
２２…合成樹脂発泡シート、
２３…合成樹脂フィルム、
２４…積層体、
２５…フランジ部、
３０…閉鎖材である蓋体、
３２…容器本体のフランジ部に当接する外側水平部、
３４…開封可能に熱融着可能な材料、
３５…閉鎖材を形成する透明な樹脂材料、
４０…閉鎖材を形成する基材シート。
【図１】
0003154418.tif 000003
【図２】
0003154418.tif 000004
【図３】
0003154418.tif 000005
【図４】
0003154418.tif 000006
【図５】
0003154418.tif 000007